(57)【要約】【課題】ユーザに包括的なビューを提供して、処理に関する広範な態様を常時コントロールすること。【解決手段】オブジェクトの順序付けられた集合、例えばドキュメントのページに対して印刷などの処理動作をプログラミングするための方法であって、オブジェクトが処理を定義する複数の異なるプロパティに従って特徴付けられることが可能である方法。本方法は、１次元の順序付けられたオブジェクトリスト（３１）、および少なくとも２個の空間的に関連し、かつ平行に配置されているプロパティリスト（３２）における集合のオブジェクトを表示するステップであって、各々が単一のオブジェクトプロパティに関連しており、またオブジェクトリストのそれぞれのオブジェクトと関連してプロパティの値を示しているステップを含む。【選択図】図３
2007287136.tif 000002
【特許請求の範囲】
【請求項１】
ディスプレイと、マウスなどのユーザが操作可能な選択デバイスとを含むユーザインタフェースを有するシステムにおいてオブジェクトが複数の異なるプロパティに従って特徴付けられる、オブジェクトの順序付けられた集合での処理動作をプログラミングするための方法であって、
集合のオブジェクトの表示を含有する１次元の順序付けられたオブジェクトリスト（３１）を表示するステップと、
ユーザが１個のオブジェクトまたは、リスト（３１）内の途切れのないオブジェクトである１個のオブジェクトグループ（５１−１、５１−２、５１−３、．．．）を選択できるようにするステップと、
ユーザが選択されたオブジェクトまたはオブジェクトグループのプロパティ値を選択できるようにするステップと、
処理動作に関して、選択されたプロパティ値を選択されたオブジェクトまたはオブジェクトグループに割り当てるステップとを含み、
オブジェクトリスト（３１）と関連しており、かつこれに対して空間的に配置されている少なくとも２個のプロパティリスト（５１、５２、５３）を表示するステップと、
各プロパティリストが単一のオブジェクトプロパティに関連しており、かつオブジェクトリストのそれぞれのオブジェクトに関連してプロパティの値を示しており、各プロパティ値がそれぞれ、１個のオブジェクト、またはプロパティ値を共有する前記オブジェクトグループに関連していることとを特徴とする、方法。
【請求項２】
プロパティリスト（５１、５２、５３）がオブジェクトリスト（３１）と平行に表示され、
プロパティリストが異なるプロパティ値に対応する視覚的に認識可能なセクション（５１−１、５１−２、５１−３、．．．）を有する、請求項１に記載の方法。
【請求項３】
プロパティリスト（５１、５２、５３）がオブジェクトリストと平行に延びるバーとして表示されており、
バーが異なるプロパティ値に対応する視覚的に認識可能なセクション（５１−１、５１−２、５１−３、．．．）を有する、請求項２に記載の方法。
【請求項４】
各前記プロパティリストセクション（５１−１、５１−２、５１−３、．．．）が、セクションが対応するオブジェクトまたはオブジェクトグループを選択するように動作する、請求項２に記載の方法。
【請求項５】
サマリーラベルがプロパティリストのセクション（５１−１、５１−２、５１−３、．．．）と関連して表示される、請求項２に記載の方法。
【請求項６】
プロパティリスト（５１、５２、５３）のいずれか１つが優先にされることが可能であり、
優先プロパティリストの各セクションがユーザコマンドに応じてセクションのオブジェクトリストおよび関連プロパティリストを折り畳むように動作し、前記セクションが単一のプロパティ値と関連している、請求項２に記載の方法。
【請求項７】
オブジェクトリストがオブジェクトごとのシリアル番号を含み、１つ以上のセクションが折り畳まれる場合には折り畳まれたセクションのオブジェクトの一連のシリアル番号を含む、請求項６に記載の方法。
【請求項８】
オブジェクトがディジタル化されたドキュメントのページであり、処理動作が印刷動作である、請求項１から７のいずれか一項に記載の方法。
【請求項９】
オブジェクトが複数の異なるプロパティに従って特徴付けられている、オブジェクトの順序付けられた集合に処理動作を実行するためのシステムであって、
システムが、ディスプレイと、マウスなどのユーザが操作可能な選択デバイスとを含むユーザインタフェースを有する処理動作をプログラミングするためのプログラミングデバイス（５）と、前記オブジェクトを処理するための処理デバイス（４Ａ、４Ｂ、４Ｃ）とを含み、
プログラミングデバイス（５）が、このユーザインタフェースを介して、集合のオブジェクトの表示を含有する１次元の順序付けられたオブジェクトリスト（３１）を表示するように、
ユーザが１個のオブジェクトまたは、リスト内の途切れのないオブジェクトである１個のオブジェクトグループ（５１−１、５１−２、５１−３、．．．）を選択できるように、
ユーザが選択されたオブジェクトまたはオブジェクトグループのプロパティ値を選択できるように、かつ
処理動作に関して選択されたオブジェクトまたはオブジェクトグループに選択されたプロパティ値を割り当てるように構成されており、
プログラミングデバイス（５）において、さらに、
オブジェクトリスト（３１）と関連しており、かつこれに対して空間的に配置されている少なくとも２個のプロパティリスト（５１、５２、５３）を表示するように構成されていることと、
各プロパティリストが単一のオブジェクトプロパティに関連しており、かつオブジェクトリストのそれぞれのオブジェクトと関連してプロパティの値を示しており、各のプロパティ値がそれぞれ１個のオブジェクト、またはプロパティ値を共有する前記オブジェクトグループに関連していることとを特徴とする、システム。
【請求項１０】
プログラミングデバイス（５）が、プロパティリスト（５１、５２、５３）をオブジェクトリスト（３１）と平行にユーザインタフェースに表示するように構成されており、
プロパティリストが、異なるプロパティ値に対応する視覚的に認識可能なセクション（５１−１、５１−２、５１−３、．．．）を有する、請求項９に記載のシステム。
【請求項１１】
プログラミングデバイス（５）が、プロパティリスト（５１、５２、５３、．．．）をオブジェクトリストと平行して延びるバーとしてユーザインタフェースに表示するように構成されており、
バーが、異なるプロパティ値に対応する視覚的に認識可能なセクション（５１−１、５１−２、５１−３）を有する、請求項１０に記載のシステム。
【請求項１２】
ユーザインタフェースに表示されている各前記プロパティリストセクション（５１−１、５１−２、５１−３、．．．）が、セクションが対応するオブジェクトまたはオブジェクトグループを選択するように動作する、請求項１０に記載のシステム。
【請求項１３】
プログラミングデバイス（５）が、プロパティリストのセクション（５１−１、５１−２、５１−３、．．．）と関連して、サマリーラベルをユーザインタフェースに表示するように構成されている、請求項１０に記載のシステム。
【請求項１４】
プログラミングデバイス（５）が、ユーザがプロパティリスト（５１、５２、５３）のいずれか１つを優先にすることができるように構成されており、
優先プロパティリストの各セクションが、ユーザインタフェースを介するユーザコマンドに応じて、セクションのオブジェクトリストおよび関連プロパティリストを折り畳むように動作し、前記セクションが単一のプロパティ値と関連している、請求項１０に記載のシステム。
【請求項１５】
表示されているようなオブジェクトリストがオブジェクトごとのシリアル番号を含み、１つ以上のセクションが折り畳まれる場合には、折り畳まれたセクションのオブジェクトの一連のシリアル番号を含む、請求項１４に記載のシステム。
【請求項１６】
オブジェクトがディジタル化されたドキュメントのページであり、処理デバイス（４Ａ、４Ｂ、４Ｃ）がプリンタデバイスである、請求項９から１５のうちのいずれか一項に記載のシステム。
【請求項１７】
コンピュータ上で実行される場合に、請求項１から８のうちのいずれか一項の全ステップを実行するコンピュータコードを含有する、コンピュータプログラム製品。
【発明の詳細な説明】
【技術分野】
【０００１】
本発明は、ディスプレイとマウスなどのユーザが操作可能な選択デバイスとを含むユーザインタフェースを有するシステムにおいて、複数の異なるプロパティに従って特徴付けられるオブジェクトの順序付けられた集合に対する処理動作をプログラミングするための方法に関する。
【０００２】
より具体的には、集合のオブジェクトの表示を含有する１次元順序付けられたオブジェクトリストを表示するステップと、ユーザが１個のオブジェクトまたは１個のオブジェクトグループを選択できるようにするステップであって、１グループはリスト内の途切れのないオブジェクトであるステップと、ユーザが選択されたオブジェクトまたはオブジェクトグループのプロパティ値を選択できるようにするステップと、処理動作に関して、選択されたプロパティ値を選択されたオブジェクトまたはオブジェクトグループに割り当てるステップとを含む方法に関する。
【０００３】
本発明はまた、本発明の方法が実現されるシステムと、本発明を実行するコンピュータプログラム製品とに関する。
【背景技術】
【０００４】
本発明の用途の一例はドキュメントの印刷であり、より具体的には、ユーザによってワークステーションから中央リプログラフィ部に提出されたドキュメントの集中印刷であり、印刷ジョブはプリンタでの処理についてサーバーにおいてプログラミングされている。
【０００５】
知られている方法および関連システムは、ドキュメントワークフロー全体に総合ディジタル手段を提供するサーバーベースの出力管理手段である、出願人の製品であるＯｃｅ’Ｄｏｃ  Ｗｏｒｋｓ（登録商標）により知られている。
【０００６】
ユーザにとって、例示的中央リプロ部の場合はサーバーのオペレータにとって、処理動作のプログラミングを望むならば、集合構造ならびに個々のオブジェクト（ドキュメントページ）の事項について良好な概観を維持することが極めて望ましい。知られているＯｃｅ’Ｄｏｃ  Ｗｏｒｋｓ製品は、最終的な印刷プロセスで使用されることになるドキュメントの個々のページにプロパティを割り当てる際に役立つ。
【０００７】
上記のようなオブジェクトの順序付けられた集合内には、オブジェクトが特定のプロパティについて同一の属性を有するために同類に属する複数のオブジェクト（グループ）の範囲が存在し得る。例えば、ドキュメントにおいて、ページは同一の媒体を有するか同一の章に属しているために一連のページは同類に属している。
【０００８】
別の例は年代順に分類された写真ファイルのリスト（「オブジェクトリスト」）であり、ここでは、写真は同じ場所で取られたり、Ｂ＆Ｗや他のモードで取られたりするため、一連の写真は同類に属する。そして特定の媒体への印刷などのプロパティ関連処理や専用画像処理は本発明の方法に従ってプログラミングされてもよい。
【０００９】
上記のＯｃｅ’Ｄｏｃ  Ｗｏｒｋｓを含む、オブジェクトリストを構築する現在の方法は階層を利用する。属性はコンテナ（例えばフォルダ）によって表され、この属性を具備するオブジェクトはこのコンテナに配置される。この手段は一度に１個のプロパティのグルーピングのみを許容する（例えば、「場所」や「サイズ」）。この構造を可視化する一般的な方法はいわゆる「ツリービュー」であり、ここではコンテナは、（場合によっては）コンテナアイコン上に関連して表示されている＋または−の符号をそれぞれクリックすることによって開かれたり（全要素が示される）閉じられたり（１個のディスプレイアイテムに折り畳まれる）することが可能である。
【発明の開示】
【発明が解決しようとする課題】
【００１０】
本発明の目的は、ユーザに包括的なビューを提供して、処理に関する広範な態様を常時コントロールすることである。
【課題を解決するための手段】
【００１１】
従って、本発明によると、本方法は、オブジェクトリストと関連し、かつこれに対して空間的に配置された少なくとも２個のプロパティリストを表示するステップを含み、各プロパティリストは単一のオブジェクトプロパティに関連しており、またオブジェクトリストのそれぞれのオブジェクトと関連したプロパティの値を示しており、各プロパティ値はそれぞれ１個のオブジェクト、またはそのプロパティ値を共有する上記オブジェクトグループに関連している。
【００１２】
より具体的な実施形態では、プロパティリストが、オブジェクトリストと平行して延びるバーとしてディスプレイに示されており、このバーは異なるプロパティ値に対応する視覚的に認識可能なセクションを有し、場合によってはサマリーラベルを提供される。
【００１３】
本発明の効果は、オブジェクトリストにおいて、同一の属性のシーケンシャルオブジェクトを可視的にグルーピングする垂直バーによって複数の範囲が可視化可能であることである。各バーは１個のグループ（同一の属性による一連のページ）を表している。グループ属性のグラフィカルおよびテキスト説明は各バーに表示されてもよい。
【００１４】
複数のグループが異なるプロパティに存在することもあり、例えばドキュメントの場合、プロパティ「媒体」に基づいたグループ、プロパティ「仕上げ」に基づいたグループおよびプロパティ「章」に基づいたグループがあり得る。これらのプロパティは一例として示されており、具体的な状況に応じて他のプロパティも容易に考えられる。
【００１５】
プロパティごとに、異なる範囲が垂直バーによって可視化されている列が表示される。この手段によって、一度に異なるプロパティのグルーピングが可能になるだけでなく、対応するバーをクリックすることによって各プロパティに関するグループの迅速な選択が可能になる。
【００１６】
加えて、バー／プロパティリストのうちのいずれか１つは、オペレータによって優先にされてもよく、優先プロパティリストの各セクションは、単一のプロパティ値と関連付けられていて、このセクションのオブジェクトリストおよび関連プロパティリストを折り畳むように動作する。
【００１７】
プロパティ値はユーザインタフェースによってオブジェクトリストのそれぞれの要素にオペレータによって割り当て可能であり、これによってシステムは割り当てられたプロパティをプロパティリストに自動的に入れる。
【００１８】
本発明の他の目的および利点は、添付の説明および添付の特許請求の範囲より明らかになるであろう。
【００１９】
次に本発明が添付の図面を参照して例示的実施形態で説明される。
【発明を実施するための最良の形態】
【００２０】
図１は、ユーザワークステーション１Ａ、１Ｂ、１Ｃ（例えばＰＣ）と、しばしば「中央リプロ部」（ＣＲＤ）と称されるような中央印刷設備２とを含む汎用ネットワークシステムを示しており、全てはローカルエリアネットワークやインターネットなどのネットワーク１０によって接続されている。ＣＲＤは複数の印刷デバイス４Ａ、４Ｂ、４Ｃと、通常はＰＣであるサーバー５とを含む。ＣＲＤはまたドキュメントデータベース６を含んでもよく、あるいはドキュメントデータベースとして作用する中央データベース設備に接続されてもよい。ＣＲＤのデバイスは、汎用ネットワーク１０の一部であってもよいローカルネットワーク１１によって相互接続される。
【００２１】
動作に際して、ユーザはワークステーションにドキュメントを用意して、得られるドキュメントデータファイルをＣＲＤに提出して印刷し、場合によってはデータベース６に記憶する。
【００２２】
印刷用ファイルはサーバー５によって受信されて、ＣＲＤオペレータのコントロール下でプリンタデバイス４Ａ、４Ｂまたは４Ｃに転送される。
【００２３】
サーバー５はプログラムソフトウェアを実行することによって、ユーザが提出したドキュメントファイルに従ってプリントを生成する印刷ジョブの印刷処理を編集および特定するシステムを形成する。このソフトウェアは図２に例示されているように３個の別個の章を有する。ページレイアウト仕様および画像処理などのページ編集機能性を含むページレベル仕様２１と、ページ画像からドキュメントを構成するためのドキュメントレベル仕様２２と、物理的生成コントロールを目的とする生成レベル仕様２３である。
【００２４】
本発明は、印刷処理を編集および特定する上記システム、特にこのドキュメントレベル仕様２２に関する。本発明はこのシステムのユーザインタフェースを提供しており、サーバー５で実行されるソフトウェアで具現化される。
【００２５】
動作に際して、ドキュメント仕様ソフトウェアは、ページを完全プログラミングジョブに変換するのに必要な全ての機能性を提供するドキュメントワークスペースを特徴付ける。このワークスペースにおいて、ユーザはレイアウト、媒体および仕上げオプションを定義する。ページ番号およびタブキャプションなどの要素を追加することもまた可能である。
【００２６】
図３に示されるように、ドキュメントワークスペースはサーバー５のディスプレイスクリーンにドキュメントビュー３０を提供する。ドキュメントビュー３０は２つのペイン（ｐａｎｅ）、構造ペイン３３およびプレビューペイン３５に分割され、これらは一般的に横並びに表示される。
【００２７】
印刷ジョブの特定
ドキュメントファイルの印刷ジョブをプログラミングするための設定や仕様は、１個のドキュメントページまたは１グループのドキュメントページをまず選択してから関連機能を選択することによって構造ペイン３３およびプレビューペイン３５の両方に設定可能である。機能の選択は後述のように、ツールバー３７またはコンテクストメニューのボタン３８を使用して実行可能である。
【００２８】
まず、ドキュメントビューディスプレイはツールバー３７を含み、これはドキュメントビューで使用可能な最も重要な機能性のボタン３８を含有する。各ボタン３８は（図３に概略的に示されている）アイコンおよびキャプションを含む。
【００２９】
ツールバーボタンの一部は「結合」タイプであり、つまりこれらはドロップダウンボタンメニューに複数の（関連する）選択可能な機能を提供する。ボタンキャプションは選択されたメニューアイテムを表示する。
【００３０】
図３に示されたツールバー３７は概略的であるにすぎない。これは以下のボタン３８を保持することもある。
【表１】
2007287136.tif 000003
【００３１】
第２に、ドキュメントビューディスプレイにおいて選択されたドキュメントページのどこかでマウスを右クリックすることによって、ユーザは図４Ａに示されるようなコンテクストメニューを呼び出して、このページの印刷処理の仕様を選択してもよい。例示的なコンテクストメニューから使用可能なオプションは以下の表においてより詳細に特定され、一例として示されている。このほか幾つかのオプションが想定されてもよい。以下の表において、矢印は二次メニューの有無を示している。二次メニューのオプションは表のメインアイテムのすぐ下に示される。さらに、以下の表において、「．．．」は、この選択時に二次ウィンドウがさらに必要な動作を特定するために開かれることを示している。「｛｝」が先行するメニューオプションはさらなる仕様を必要としない単一のアクションである。
【表２】
2007287136.tif 000004
【００３２】
「媒体割り当て」のサブメニューにおいて、「カタログから」アイテムは二次ウィンドウで「媒体カタログ」を開く。このアイテムの下にクイックピックリスト（媒体カタログのサブセット）が表示される（図４Ｂ）。このリストにおいて、媒体アイコンはサブメニューアイテムの前に表示される。
【００３３】
構造ペイン
次に構造ペイン３３（図３）およびこの動作が図４を参照してより詳細に説明される。構造ペインは、ドキュメント、ならびにページの容易なナビゲーションおよび選択に関する概観を提供する。
【００３４】
構造ペインにおいて、ページごとに連続番号およびアイコンを有するドキュメントのページおよびブランクシートがリスト３１に表示される。ゴーストページ（つまり、プログラミングされていないが存在するページ、例えば片面印刷の裏面）は表示されない。ページに関するさらなる情報がグループ列３２に表示され、各々は１個の特定のグルーピング基準やプロパティ専用である。
【００３５】
グルーピング
構造ペインにおいて、ページは複数の基準でグルーピング可能である。図５に示されるように、ページは、例えば、基準の（サブ）セクション、媒体および仕上げにグルーピングされてもよい。
【００３６】
グループは一度に選択および（再）プログラミングされてもよいため、印刷仕様プロセスにおいて極めて手軽である。グループはドキュメントビューの一連のページを選択することによって形成されてもよい。
【００３７】
グループはグループ列３２によって構造ペイン３３で可視化される。各列は、グループのプロパティに関するフィードバックを付与するアイコンと、これらのプロパティをテキストで表示するグループラベルとを含有するサマリーバー５１、５２、５３を含有する。
【００３８】
サマリーバー内で、グループは良好な区別のために、背景色および／または、図５に示されるような周辺ラインなどの交互に異なる体裁を有する。
【００３９】
サマリーバーのグループをクリックすることは、グループ全体を選択するという効果を有する。これは、グループプロパティを変更するなどの、グループの全メンバーで総合的に動作するように実行されてもよい。例えば、図３において、ページ２が後述されるように、対応する行３６の暗い背景色、ならびにプレビューペインの暗いアウトラインによって示されるように選択される。
【００４０】
各グループ列は、ヘッダーアイコン５５と、グルーピング基準を表示するヘッダーラベル５６とを有する。グループ列のヘッダーアイコン５５をダブルクリックすることによって、グループラベルが隠されることがある。ヘッダーアイコン５５を再度ダブルクリックすることによって、グループラベルが回復される。また、グループ列のグループラベルエリアは、隣接するグループ列のヘッダーアイコンをそこにドラッグすることによって狭められることがある。
【００４１】
図５において、グループ列は以下のグルーピング基準（またはプロパティ）について示される。
・（サブ）セクション−同じ（サブ）セクションに属する連続ページは（サブ）セクショングループを形成する。セクションは、章などの、ドキュメント内容の基準に従ってユーザによって定義された区分であり、サブセクションに再分割可能である。複数のサブレベルが可能である。図５において、セクション列５１はドキュメントのセクション５１−１、５１−２、５１−３に分割される。サブレベルは図６に示されており、以下説明される。
・媒体−同一の媒体を有する連続ページは媒体グループを形成する。媒体列５２はドキュメントにおいて媒体グループ５２−１、５２−２、５２−３、５２−４、５２−５に分割される。
・仕上げ−一緒に仕上げられる連続ページ（例えばステープルセット）は仕上げグループを形成する。仕上げ列５３はドキュメントにおいて仕上げグループ５３−１、５３−２、５３−３に分割される。
【００４２】
ユーザは、いずれのグループ列が構造ペイン３３で見えるかを定義可能であり、また後述のように、グループ列の順序および幅を変更可能である。
【００４３】
本発明は上記のグルーピング基準に制限されない。（例えば、複数の作者によるドキュメントの）「作者」、生成日、色プロパティなどの他の基準も本発明の範囲内である。さらに他の基準はページのＰｌｅｘｉｔｙ（シンプレックスまたはデュプレックス）および／またはフォース（シートの表面または裏面の強制使用）属性である。これによって、１回のクリックで一連の片面または両面のページを選択することが可能になる。
【００４４】
図６は、サブセクションへのセクションの再分割の例を示している。複数のレベルがドキュメントに定義されると、これらはグループ列セクションで見えるようになることがある。レベルごとに、サマリーバー５１−ａ、５１−ｂ、５１−ｃが表示される。グループラベル６１は各セクションレベルの名称を表示する。グループラベルは全てのサマリーバーの後に配置される。
【００４５】
ドキュメントに定義されている（サブ）セクションの全レベルを見ることは必ずしも有用ではない。これらが使用されない場合、構造ペインを混乱させるだけである。従って、本発明のさらなる実施形態では、ユーザは、例えば列ヘッダーのセクションにおいていくつのレベルが見えるかを選択できるようになる。
【００４６】
アクティブ列
最左のグループ列は「アクティブ列」と称される。アクティブ列は他の列とは異なるプロパティを有する。アクティブ列において、グループは、より詳細に後述されるように折り畳まれたり広げられたりすることがある。アクティブ状態は、他の列とは異なる色を有するアクティブ列のサマリーバーによって可視化されてもよい。ポジショニングを含む、ある列がアクティブであることを示す他の方法もまた想定されてもよい。
【００４７】
ユーザは、グループ列が、列ヘッダーを別の位置にドラッグすることによって表示される順序を変更してもよい。
【００４８】
別のグループ列が（ページアイコン列の後の）最左位置にドラッグされる場合、このグループ列はアクティブ列になる。
【００４９】
ユーザは、ウィンドウのメニューバーの「ビュー」アイテムによって、かつコンテクストメニュー（列ヘッダーの右クリック）によって構造ペインのグループ列を隠したり示したりすることができる。いずれの場合でも、全ての使用可能なグループ列のリストがクリック可能なチェックマークによって示される。チェックされていないグループ列は表示されない（「隠される」）。
【００５０】
折り畳みおよび展開
アクティブ列のグループが複数のページ／ブランクシートを含有する場合、グループは、図７に示されるような展開／折り畳みアイコンを左クリックすることによって垂直方向に折り畳まれたり展開されたりすることが可能である。展開／折り畳みアイコンは、（折り畳み用の）マイナス符号７１および（展開用の）プラス符号７２を含有する小さな矩形の形態であってもよい。
【００５１】
アクティブ列のグループが折り畳まれると、折り畳まれた集合のページ番号フィールドは、この集合に含有されている連続番号範囲を表示する。
【００５２】
セクショングループが折り畳まれると、このセクションに属するサブセクションはどれも示されない。
【００５３】
グループが１ページまたはブランクシートのみを含有する場合、グループは折り畳まれることができず、展開／折り畳みアイコンは表示されない。
【００５４】
アクティブ列のグループは、他の列の複数または部分的なグループを含むとしても、折り畳まれることがある。
【００５５】
図８Ａから図８Ｄは、１０ページのドキュメントの「セクション」アクティブ列を折り畳む連続ステップを示している。図８Ａは初期状況を描いており、ここでは全てのグループが完全に表示されている。
【００５６】
折り畳まれた集合内に別の列のグループ開始またはグループ終了がある場合、結合グループシンボル８２がこの列のサマリーバーに示される。結合グループと関連するグループラベルは空である。
【００５７】
さらに、グループが折り畳まれた集合に部分的に含有されている場合、このグループの残りは、表示の折り畳まれていない部分と関連して見えるままである。これは図８Ｂに示されており、第１のセクション「Ｃｈａｐｔｅｒ  １」が折り畳まれる。図８Ｂにおいて分かるように、「媒体」列の最初の３つのグループは結合グループ８２に折り畳まれ、「仕上げ」列にある間、第２のグループの最初の一部が結合グループ８３に折り畳まれる。第２の「セクション」グループ（「Ｃｈａｐｔｅｒ  ２」）内にある、第２の「仕上げ」グループの残りの部分は「仕上げ」サマリーバーにおいて見えるままである（８４）。
【００５８】
図８Ｃおよび図８Ｄは、セクション「Ｃｈａｐｔｅｒ  ２」および「Ｃｈａｐｔｅｒ  ３」をそれぞれ折り畳む効果を示している。
【００５９】
ボタン（３９、図３）が、ドキュメントの全グループを総合的に展開および折り畳む構造ペインのフッターに提供される。
【００６０】
プレビューペイン
プレビューペイン３５は、全ての生成ステップ（インラインおよびオフライン）が完了した後のドキュメントの状態に関するＷＹＳＩＷＹＧプレビューを提供する。可能な限りリアルにドキュメントを表すために、ドキュメントは拡大ビュー（見開きページ）で示され、ドキュメントの表示に影響する全ての設定がプレビューで表示される（例えば、ステープル、タブキャプション、製本、媒体色、ページ番号など）。１ページ以上が、これらをクリックすることによって、プレビューペイン３５または構造ペイン３３のいずれかにおいて選択されてもよい。
【００６１】
タブキャプションは図９に示されているように拡大ビューで表示される。拡大ビューの左側ページの前のタブはこのページの「後ろに」表示される。これらのタブがシートの裏面にキャプションを含有する場合、このキャプションが表示される。
【００６２】
同様に、拡大ビューの右側ページの後ろにあるタブはこのページの「後ろに」表示される。これらのタブがシートの表面にキャプションを含有する場合、このキャプションが表示される。マウスがタブキャプションの上にあれば、ツールチップ９２はこのキャプションも表示する。
【００６３】
タブキャプションはまたナビゲーションに使用されてもよい。タブキャプションがクリックされると、ペインがスクロールし、対応するページが見えるようになる。
【００６４】
本発明は上記実施形態を参照して説明されてきたが、同様のことが種々の方法で実現可能であることが当業者には明らかになるであろう。本発明の範囲は添付の特許請求の範囲によって定義され、これは、当業者が実行可能な全てを包含している。
【図面の簡単な説明】
【００６５】
【図１】本発明が実践されるシステムを示す。
【図２】本発明の方法が具現化されるソフトウェアスイートを示す。
【図３】本発明の方法に関するディスプレイ画像である。
【図４Ａ】本発明で使用されるコンテクストメニューを示す。
【図４Ｂ】媒体選択用の二次ウィンドウを示す。
【図５】ディスプレイ画像の構造ペインの一部を示す。
【図６】特定の状況でのディスプレイ画像の構造ペインの一部を示す。
【図７】概略説明図である。
【図８Ａ】オブジェクトおよびグループ列の折り畳みを説明する図である。
【図８Ｂ】オブジェクトおよびグループ列の折り畳みを説明する図である。
【図８Ｃ】オブジェクトおよびグループ列の折り畳みを説明する図である。
【図８Ｄ】オブジェクトおよびグループ列の折り畳みを説明する図である。
【図９】プレビュー画像を示す。
【符号の説明】
【００６６】
１  ユーザワークステーション
２  中央印刷設備
４  印刷デバイス
５  サーバー
６  ドキュメントデータベース
１０  ネットワーク
１１  ローカルネットワーク
２１  ページレベル仕様
２２  ドキュメントレベル仕様
２３  生成レベル仕様
３０  ドキュメントビュー
３１  リスト
３２  グループ列
３３  構造ペイン
３５  プレビューペイン
３６  行
３７  ツールバー
３８  ボタン
５１、５２、５３  サマリーバー
５２  媒体列
５３  仕上げ列
５５  ヘッダーアイコン
５６  ヘッダーラベル
６１  グループラベル
７１  マイナス符号
７２  プラス符号
８２、８３  結合グループ
９２  ツールチップ
【図１】
2007287136.tif 000005
【図２】
2007287136.tif 000006
【図３】
2007287136.tif 000007
【図４Ａ】
2007287136.tif 000008
【図４Ｂ】
2007287136.tif 000009
【図５】
2007287136.tif 000010
【図６】
2007287136.tif 000011
【図７】
2007287136.tif 000012
【図８Ａ】
2007287136.tif 000013
【図８Ｂ】
2007287136.tif 000014
【図８Ｃ】
2007287136.tif 000015
【図８Ｄ】
2007287136.tif 000016
【図９】
2007287136.tif 000017
【外国語明細書】
2007287136.tif 000018
2007287136.tif 000019
2007287136.tif 000020
2007287136.tif 000021
2007287136.tif 000022
2007287136.tif 000023
2007287136.tif 000024
2007287136.tif 000025
2007287136.tif 000026
2007287136.tif 000027
2007287136.tif 000028
2007287136.tif 000029
2007287136.tif 000030
2007287136.tif 000031
2007287136.tif 000032
2007287136.tif 000033
2007287136.tif 000034
2007287136.tif 000035
2007287136.tif 000036
2007287136.tif 000037
2007287136.tif 000038
2007287136.tif 000039
2007287136.tif 000040
2007287136.tif 000041
2007287136.tif 000042